(57)【特許請求の範囲】
【請求項１】
無線通信装置であって、
無線通信を行う通信相手の登録開始タイミングを入力するための入力手段と、
前記入力手段により入力された登録開始タイミングになるまでの時間を計時する計時手段と、
前記計時手段による計時の結果、前記登録開始タイミングになると、無線通信を行う通信相手を登録するための登録モードへ移行する移行手段と、
前記移行手段により前記登録モードへ移行した後に、前記登録モードで動作中の他の無線通信装置を通信相手として登録する登録手段と、
を有することを特徴とする無線通信装置。
【請求項２】
前記入力手段により入力される登録開始タイミングは、前記登録モードへ移行する時刻、又は、前記登録モードへ移行するまでの経過時間を含むことを特徴とする請求項１記載の無線通信装置。
【請求項３】
前記入力手段は、通信相手を登録するためのパラメータの入力を受け付けることを特徴とする請求項１又は２記載の無線通信装置。
【請求項４】
前記パラメータは、通信相手の識別番号及びパスワードを含むことを特徴とする請求項３記載の無線通信装置。
【請求項５】
新たな通信相手を登録するためのパラメータの入力であるか否かを判定する判定手段と、前記判定手段により、新たな通信相手を登録するためのパラメータの入力であると判定された場合は、前記入力手段により入力されたパラメータを表示する一方、新たな通信相手を登録するためのパラメータの入力でないと判定された場合は、既に記憶されていたパラメータを表示する表示手段と、を有することを特徴とする請求項３又は４記載の無線通信装置。
【請求項６】
前記登録手段は、前記入力手段により入力されたパラメータと同一のパラメータが入力されている他の無線通信装置を、通信相手として登録することを特徴とする請求項３から５のいずれか１項に記載の無線通信装置。
【請求項７】
前記登録手段により通信相手として登録される前記他の無線通信装置は、前記入力手段により入力された登録開始タイミングと同一のタイミングで前記登録モードに移行するよう設定されていることを特徴とする請求項１から６のいずれか１項に記載の無線通信装置。
【請求項８】
無線通信を行う通信相手の登録開始タイミングを入力するための入力手段を有する無線通信装置の制御方法であって、
前記入力手段により入力された登録開始タイミングになるまでの時間を計時し、
前記登録開始タイミングになると、無線通信を行う通信相手を登録するための登録モードへ移行し、
前記登録モードへ移行した後に、前記登録モードで動作中の他の無線通信装置を通信相手として登録することを特徴とする無線通信装置の制御方法。
【請求項９】
請求項８に記載の無線通信装置の制御方法をコンピュータに実行させるためのプログラムを格納したことを特徴とするコンピュータで読み取り可能な記憶媒体。
【発明の詳細な説明】
【０００１】
【発明の属する技術の分野】
本発明は、無線通信装置及びその制御方法、並びに記憶媒体に関する。
【０００２】
【従来の技術】
従来、複写装置等の事務機器を接続する子機としての無線通信装置と親機としての無線通信装置とが回線で無線通信可能に接続されて構成された無線通信システムが知られている。このシステムでは、運用に際し子機を親機に登録しなければならないが、通常は、親機及び子機をほぼ同時に子機登録モードに設定することで子機登録がなされる。一般に子機は、設定データがない場合は、最初の立ち上げ時に登録モードとなるが、親機は、設定者が登録モードに設定する必要があり、子機は親機と同時期に登録モードになっている必要がある。
【０００３】
従って、子機登録を行う場合は、例えば、親機の側に子機を設置すれば、１人で登録作業を行うことができる。
【０００４】
【発明が解決しようとする課題】
しかしながら、親機と子機が離れている場合は、親機を操作する者と子機を操作する者の２人で登録作業を行う必要がある。例えば、子機が、複写機のような大型の事務機器を接続し、動作状況をモニタする無線通信装置である場合であって、特に親機から離れて設置されているときは、モニタ対象となる事務機器自体が大きいため搬送が容易でないことから、親機の側に子機を設置して１人で子機登録作業を行うということができない。そのため、従来の無線通信システムでは、子機登録には複数の作業者が不可欠であり、煩雑であるという問題があった。
【０００５】
本発明は、無線通信を行う通信相手を登録する際の課題を解決することを目的とする。
【０００７】
【課題を解決するための手段】
上記目的を達成するために本発明の無線通信装置は、無線通信装置であって、無線通信を行う通信相手の登録開始タイミングを入力するための入力手段と、前記入力手段により入力された登録開始タイミングになるまでの時間を計時する計時手段と、前記計時手段による計時の結果、前記登録開始タイミングになると、無線通信を行う通信相手を登録するための登録モードへ移行する移行手段と、前記移行手段により前記登録モードへ移行した後に、前記登録モードで動作中の他の無線通信装置を通信相手として登録する登録手段と、を有することを特徴とする。
【００１０】
また、本発明の無線通信装置の制御方法は、無線通信を行う通信相手の登録開始タイミングを入力するための入力手段を有する無線通信装置の制御方法であって、前記入力手段により入力された登録開始タイミングになるまでの時間を計時し、前記登録開始タイミングになると、無線通信を行う通信相手を登録するための登録モードへ移行し、前記登録モードへ移行した後に、前記登録モードで動作中の他の無線通信装置を通信相手として登録することを特徴とする。
【００１２】
また、本発明の記憶媒体は、請求項８に記載の無線通信装置の制御方法をコンピュータに実行させるためのプログラムを格納したことを特徴とするコンピュータで読み取り可能な記憶媒体である。
【００１８】
【発明の実施の形態】
以下、本発明の実施の形態を図面を参照して説明する。
【００１９】
（第１の実施の形態）
図１は、本発明の第１の実施の形態に係る無線通信システムの全体構成を示すブロック図である。
【００２０】
本無線通信システムは、子機としての無線装置１０２（無線通信装置）と親機としての無線装置１０４（無線通信装置）とが無線通信可能に接続されて構成される。
【００２１】
同図（ａ）に示すように、無線装置１０２には事務機１０１及び子機側データ入力装置１０３が接続されている。同図（ｂ）に示すように、無線装置１０４は公衆網１０５に接続されている。無線装置１０４にはさらに、親機側データ入力装置１０６が接続されている。
【００２２】
事務機１０１は、例えば、複写機等の大型の装置であり、動作状況等がモニタされる対象となる。子機側データ入力装置１０３は、無線装置１０２を無線装置１０４に登録（子機登録）するために必要なパラメータ（子機登録データ）の設定等に用いられる。
【００２３】
図２は、子機側データ入力装置１０３の構成を示すブロック図である。なお、親機側データ入力装置１０６は子機側データ入力装置１０３と同様に構成される。
【００２４】
子機側データ入力装置１０３は、制御部２０３に表示部２０１、入力部２０２、記憶部２０４、タイマ２０５及び機器接続インターフェイス部２０６が接続されて構成される。表示部２０１は各種情報を表示する。入力部２０２は、キー等で構成され、各種データを入力するのに用いられる。制御部２０３は、子機側データ入力装置１０３全体を制御する。記憶部２０４は、ＲＡＭやハードディスク等で構成され、入力されたパラメータ等のデータを記憶する。タイマ２０５は時刻をカウント（計時）し、その情報を制御部２０３に伝える。機器接続インターフェイス部２０６は、無線装置１０２と接続し、子機登録データ等を無線装置１０２との間でやり取りする。なお、親機側データ入力装置１０６では、機器接続インターフェイス部２０６は無線装置１０４と接続する。
【００２５】
かかる構成において、子機登録は次のようにしてなされる。
【００２６】
図３は、子機側データ入力装置１０３で実行される子機登録処理のフローチャートを示す図である。
【００２７】
まず、モード選択処理を行う（ステップＳ３０１）。すなわち、使用者の操作により、表示部２０１に動作モードの選択を促すメッセージを表示する。使用者はここで、動作モードとしてインテリジェントモードまたは通常のキーボードモードのいずれかを選択する。
【００２８】
次いで、動作モードの選択処理で、使用者が選択した動作モードがインテリジェントモードであるかそれともキーボードモードであるかを判別する（ステップＳ３０２）。その判別の結果、使用者が選択した動作モードがキーボードモードである場合は、入力値を機器接続インターフェイス部２０６を経由して接続機器である無線装置１０２に直ちに渡し（ステップＳ３０３）、本処理を終了する一方、使用者が選択した動作モードがインテリジェントモードである場合は、表示部２０１に子機登録モードである旨の表示を行う（ステップＳ３０４）。
【００２９】
次いで、キー入力が新規の子機登録のデータ入力であるか否かを判別する（ステップＳ３０５）。その判別の結果、再送信、すなわちキー入力が新規の子機登録のデータ入力でない場合は、直ちにステップＳ３０８に進む一方、新規入力、すなわちキー入力が新規の子機登録のデータ入力である場合は、子機番号の入力を受け付け（ステップＳ３０６）、さらにその他パスワード等の必要なパラメータを表示部２０１に従い順番に入力を受け付けて（ステップＳ３０７）、ステップＳ３０８に進む。なお、これらの入力されたデータは記憶部２０４に保持される。
【００３０】
ステップＳ３０８では、入力パラメータの表示を表示部２０１により行う。ここでは、再送信の場合は既に記憶部２０４に保持されているデータが表示され、新規入力の場合は、新たに入力されたデータが表示される。
【００３１】
次いで、表示部２０１の表示をもとに、入力されているデータに誤りがないか否かを使用者が判断することにより、使用者から入力確認がなされたか否かを判別する（ステップＳ３０９）。その判別の結果、入力確認がなされず、訂正の意思が示された場合は、前記ステップＳ３０６に戻って子機番号、その他パラメータの入力のやり直しを行う一方、入力確認がなされた場合は、設定時間（開始タイミング）を入力する（ステップＳ３１０）。
【００３２】
ここで設定時間は、入力された子機登録データを子機側データ入力装置１０３から無線装置１０２に送信するタイミングを規定するものであり、例えば、現時点からの経過時間（１０分後に送信等）や、送信時刻（１０時２０分に送信）のように設定される。
【００３３】
次いで、上記設定時間が到来したか否かを判別する（ステップＳ３１１）。この判別は、子機側データ入力装置１０３が内蔵するタイマ２０５の計時時間に基づきなされる。そして設定時間が到来するまで当該判別を繰り返し、タイマが設定値となり設定時間が到来した場合は、設定開始、すなわち記憶部２０４に保持された子機登録データを機器接続インターフェイス部２０６経由で無線装置１０２に送信し（ステップＳ３１２）、本処理を終了する。これにより、子機側での子機登録が設定されたタイミングでなされる。
【００３４】
他方、１人で子機登録を実現するためには、子機（無線装置１０２）と同じタイミングで親機（無線装置１０４）を子機登録モードに移行させなければならない。そのため、使用者は、子機側で上記設定時間が到来する前に親機側に移動し、上記設定時間が到来するタイミング、すなわち子機が子機登録モードに移行する頃合いを見計らって、親機側で子機登録作業を行う。
【００３５】
すなわち、無線装置１０４に接続された親機側データ入力装置１０６をキーボードモードで使用するか、あるいは他のキーボードを用いて、子機登録に必要な子機番号やパスワードといった子機登録データを無線装置１０４に入力する。これにより、親機及び子機が共に子機登録モードとなった状態で、子機登録がなされる。
【００３６】
なお、親機側で入力するタイミングが悪く、子機登録に失敗した場合は、もう一度子機側データ入力装置１０３で設定時間を設定しなおせばよい。
【００３７】
本実施の形態によれば、１人の使用者が、まず子機側で子機登録開始タイミングを設定時間として設定し、子機側が自動的に子機登録モードになるタイミングで親機側を手動で子機登録モードにし、子機側では自動的に、親機側では手動で子機登録作業を行える。よって、設定した開始タイミングで子機登録作業を１人で行うことができる。
【００３８】
（第２の実施の形態）
本実施の形態では、第１の実施の形態に対し、子機側と親機側での処理を逆転させた点が異なる。従って、システム、親機側データ入力装置１０６の構成は図１、図２に示す通りである。ただし、図３に示す子機登録処理は、無線装置１０２ではなく無線装置１０４で実行される。
【００３９】
１人の使用者が、まず親機側で子機登録開始タイミングを設定時間として設定し、親機側が自動的に子機登録モードになるタイミングで子機側を手動で子機登録モードにする。すなわち、使用者は、親機側で設定された設定時間が到来する前に子機側に移動し、上記設定時間が到来するタイミング、すなわち親機が子機登録モードに移行する頃合いを見計らって、子機側で子機登録作業を行う。これにより、親機側では自動的に、子機側では手動で子機登録作業が行われる。
【００４０】
本実施の形態によれば、第１の実施の形態と同様の効果を奏することができる。
【００４１】
（第３の実施の形態）
本実施の形態では、第１の実施の形態における子機側の処理と同様の処理を、子機側だけでなく親機側でも実行し、手動による子機登録を排した点が第１の実施の形態と異なる。従って、システムの構成は図１に示す取りであり、子機側データ入力装置１０３及び親機側データ入力装置１０６の構成は図２に示す通りである。ただし、図３に示す子機登録処理は、無線装置１０２だけでなく無線装置１０４でも実行される。
【００４２】
本実施の形態では、親機及び子機のいずれもインテリジェントモードで動作させ、図３のステップＳ３１０で設定される設定時間については、無線装置１０２で設定される設定時間と無線装置１０４で設定される設定時間とを略一致させるようにする。設定時間は、両者共、例えば、送信時刻（１０時２０分に送信）のように設定される。
【００４３】
本実施の形態によれば、親機側及び子機側で略同じタイミングで子機登録モードに移行し、子機登録がそれぞれで自動的に開始、実行される。よって、設定した開始タイミングで子機登録作業を自動的に行うことができ、しかも、親機及び子機での設定時間等の必要な設定作業は１人で行うことができる。
【００４４】
なお、子機側データ入力装置１０３に内蔵のバッテリを持たせたり、記憶部２０４に不揮発性メモリを採用することで、使用者が子機側データ入力装置１０３、親機側データ入力装置１０６の各記憶部２０４に予め必要な子機登録データをそれぞれ記憶させておき、その後、各データ入力装置１０３、１０６を無線装置１０２、無線装置１０４にそれぞれ接続し、接続後に記憶部２０４に保持された子機登録データを用いて子機登録を行うようにしてもよい。
【００４５】
（第４の実施の形態）
本実施の形態では、子機登録データの入力、保持、及び計時等のための手段を子機側データ入力装置１０３ではなく無線装置１０２自体に設け、子機登録処理のシーケンスを子機側データ入力装置１０３を用いることなく無線装置１０２、１０４自体で実行するようにした点が第１の実施の形態と異なる。
【００４６】
図４は、本実施の形態における無線装置１０２の構成を示すブロック図である。なお、親機無線装置１０４は子機無線装置１０２と同様に構成される。
【００４７】
無線装置１０２は、制御部３０３に表示部３０１、入力部３０２、記憶部３０４、タイマ３０５及び通信インターフェイス部３０６が接続されて構成される。表示部３０１は各種情報を表示する。入力部３０２は、キー等で構成され、各種データを入力するのに用いられる。制御部３０３は、無線装置１０２全体を制御する。記憶部３０４は、ＲＡＭやハードディスク等で構成され、入力されたパラメータ等のデータを記憶する。タイマ３０５は時刻をカウント（計時）し、その情報を制御部３０３に伝える。通信インターフェイス部３０６は、無線装置１０４との間で無線通信を行う。
【００４８】
かかる構成において、子機登録は次のようにしてなされる。
【００４９】
図５は、無線装置１０２で実行される子機登録処理のフローチャートを示す図である。なお、無線装置１０４においても同様の処理が実行される。
【００５０】
まず、表示部３０１に子機登録モードである旨の表示を行う（ステップＳ５０１）。次いで、ステップＳ５０２〜Ｓ５０８では、図３のステップＳ３０５〜Ｓ３１１と同様の処理を実行する。ただし、本処理では、図３で表示部２０１、入力部２０２、記憶部２０４、タイマ２０５が有していた機能や行っていた処理を、表示部３０１、入力部３０２、記憶部３０４、タイマ３０５が担う。
【００５１】
前記ステップＳ５０８の判別の結果、タイマが設定値となり設定時間が到来した場合は、設定開始、すなわち記憶部３０４に保持された子機登録データを用いて子機登録を行う（ステップＳ５０９）。これにより、子機側での子機登録が設定されたタイミングでなされる。
【００５２】
他方、親機の無線装置１０４でも図５と同様の処理が実行されるが、その際、設定時間を子機側と同様の値に設定することで、無線装置１０４が無線装置１０２と同じタイミングで子機登録モードになり、子機登録がなされる。
【００５３】
本実施の形態によれば、子機及び親機自身に図５の処理機能を持たせることにより、親機側及び子機側で略同じタイミングで子機登録モードに移行し、子機登録が自動的に開始、実行される。よって、第３の実施の形態と同様に、設定した開始タイミングで子機登録作業を自動的に行うことができ、しかも、親機及び子機での設定時間等の必要な設定作業は１人で行うことができる。
【００５４】
なお、子機登録データの入力、記憶及び表示等の機能の一部のみを無線装置１０２、１０４自身に設けるようにしてもよい。
【００５５】
（第５の実施の形態）
本実施の形態では、無線装置１０２及び無線装置１０４がデータ入力装置１０３、１０６を介して相互に無線通信するための機能をデータ入力装置１０３、１０６にさらに備え、子機登録開始信号の送受信を契機として子機登録を開始するようにした点が第１の実施の形態と異なる。無線通信システムの全体構成は図１に示す通りである。
【００５６】
図６は、本実施の形態における親機側データ入力装置１０６の構成を示すブロック図である。なお、子機側データ入力装置１０３は親機側データ入力装置１０６と同様に構成される。
【００５７】
無線通信部２０７は、制御部２０３等に接続され、親機無線装置１０４側との間で無線通信を行う。無線通信部２０７の構成は各種考えられるが、一例として微弱無線を用いることができる。微弱無線を用いた場合は、他との混線が考えられるので、ＡＭ変調等のアナログ変調で信号レベルの検出で判定すると誤動作発生の可能性が高くなる。従って、望ましくはＦＳＫ変調（周波数偏移変調）等のデジタル変調方式を用い、特定のパターンを繰り返して送信し、受信側でこのパターンを検出することで、子機登録開始のきっかけとすることができる。
【００５８】
その他、表示部２０１、入力部２０２、制御部２０３、記憶部２０４、タイマ２０５、機器接続インターフェイス部２０６は第１の実施の形態のものと同様である。
【００５９】
かかる構成において、使用者は、まず子機側データ入力装置１０３を用いて子機登録に必要なパラメータ（子機登録データ）を入力し、子機側を子機登録開始信号の受信待ち状態にしてから、その後、親機側データ入力装置１０６を用いて同様に子機登録データを入力する。入力終了後、親機側データ入力装置１０６に備えられた無線通信部２０７を用いて子機登録開始信号を送信すると共に子機登録モードに入る。子機側データ入力装置１０３に備えられた無線通信部２０７でこの子機登録開始信号を受信すると、無線装置１０２も子機登録モードに入り、子機登録を行う。
【００６０】
なお、親機側データ入力装置１０６から子機登録開始信号を送信するようにしたのは、例えば、ＰＨＳの自営モードでは、無線装置１０４が子機登録用の報知信号を出し、子機無線装置１０２がこの報知信号を受信し、報知信号中に含まれる子機登録に関するデータを得てから子機登録を実行するためである。
【００６１】
図７は、親機側データ入力装置１０３で実行される子機登録処理のフローチャートを示す図である。
【００６２】
まず、ステップＳ７０１〜Ｓ７０９では、図３のステップＳ３０１〜Ｓ３０９と同様の処理を実行する。次いで、無線通信部２０７で、子機登録開始信号を無線装置１０２に対して送信し（ステップＳ７１０）、設定開始、すなわち親機側データ入力装置１０６の記憶部２０４に保持されている子機登録データを無線装置１０４に渡して無線装置１０４を子機登録モードに移行させる（ステップＳ７１１）。これにより、親機側では子機登録がなされる。その後、本処理を終了する。
【００６３】
図８は、子機側データ入力装置１０３で実行される子機登録処理のフローチャートを示す図である。
【００６４】
なお、上述したように、実際には、使用者は、子機側で子機登録データの入力等の作業（図８）を行い、子機登録開始信号の受信待ち状態にしてから、親機側で子機登録データの入力等の作業（図７）を行うという手順をとる。
【００６５】
まず、ステップＳ８０１〜Ｓ８０９では、図７のステップＳ７０１〜Ｓ７０９と同様の処理を実行する。
【００６６】
次いで、子機側の無線通信部２０７によって子機登録開始信号が受信されたか否かを判別する（ステップＳ８１０）。その判別の結果、子機登録開始信号が受信された場合は、設定開始、すなわち子機側データ入力装置１０３の記憶部２０４に保持されている子機登録データを無線装置１０２に渡して無線装置１０２を子機登録モードに移行させる（ステップＳ８１１）。これにより、子機側でも子機登録がなされる。その後、本処理を終了する。
【００６７】
一方、子機登録開始信号が受信されない場合は、所定時間（例えば１時間）が経過したか否かを判別し（ステップＳ８１２）、所定時間が経過するまで前記ステップＳ８１０、Ｓ８１２の判別を繰り返す。そして、子機登録開始信号が受信されないまま所定時間が経過した場合は、設定ＮＧを表示、すなわち表示部２０１に子機登録の失敗を示す旨を表示して（ステップＳ８１３）、本処理を終了する。この場合は、子機登録は行われない。
【００６８】
本実施の形態によれば、子機登録開始信号を契機として、親機側で指定するタイミングで子機登録作業を自動的に行うので、第３の実施の形態と同様の効果を奏することができる。
【００６９】
なお、本実施の形態では、子機登録開始信号を親機側から子機側に送信するようにしたが、これと逆の構成にしてもよい。すなわち、子機側から親機側に対して子機登録開始信号を送信するようにし、親機側で子機登録データの入力等の作業を行い、親機側を子機登録開始信号の受信待ち状態にしてから、子機側で子機登録データの入力等の作業を行うようにしてもよい。
【００７０】
なお、本実施の形態では、子機登録データの入力、記憶及び表示、子機登録開始信号の送受信等の機能をデータ入力装置１０３、１０６に設けるようにしたが、これらの機能を無線装置１０２、１０４自身に設け、データ入力装置１０３、１０６を省略する構成としてもよい。また、子機登録データの入力、記憶及び表示、子機登録開始信号の送受信等の機能の一部のみを無線装置１０２、１０４自身に設けるようにしてもよい。
【００７１】
（第６の実施の形態）
本実施の形態では、第５の実施の形態における子機登録開始信号の受信の代わりに、テレビ放送やラジオ放送の時報を契機として子機登録モードに移行するようにした点が第５の実施の形態と異なる。本実施の形態では、テレビ放送またはラジオ放送を受信する受信部と、受信した放送から毎時発される時報を検出する時報検出部とをさらに備える（いずれも図示せず）。
【００７２】
親機無線装置１０４及び子機無線装置１０２は共に、図８に示す子機登録処理を実行するが、その際、テレビまたはラジオの放送を受信すると共に、ステップＳ８１０に相当する処理ステップでは、時報を検出したか否かを判別する。その判別の結果、時報を検出した場合は、設定開始（ステップＳ８１１）の処理を実行する。これにより、親機側、子機側で同時に子機登録モードに移行し、子機登録がなされる。
【００７３】
本実施の形態によれば、時報を契機として子機登録作業を自動的に行うので、第５の実施の形態と同様の効果を奏することができる。
【００７４】
なお、本実施の形態において、子機または親機のいずれか一方では、時報に合わせて使用者が手動で子機登録を行うようにしてもよい。このようにしても、子機登録作業は１人で行うことが可能である。
【００７５】
なお、上述した各実施形態の機能を実現するソフトウエアのプログラムコードを記録した記憶媒体を無線通信システムに供給し、その無線通信システムのコンピュータ（またはＣＰＵやＭＰＵ）が記憶媒体に格納されたプログラムコードを読み出し実行することによっても、本発明の目的が達成されることはいうまでもない。
【００７６】
この場合、記憶媒体から読み出されたプログラムコード自体が本発明の新規な機能を実現することになり、そのプログラムコードを記憶した記憶媒体は本発明を構成することになる。
【００７７】
プログラムコードを供給するための記憶媒体として、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７８】
また、コンピュータが読み出したプログラムコードを実行することにより上述した各実施形態の機能が実現されるだけでなく、そのプログラムコードの指示に基づいて、コンピュータ上で稼動しているＯＳ等が実際の処理の一部または全部を行い、その処理によって前述した実施形態の機能が実現される場合も含まれることはいうまでもない。
【００７９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づいて、その機能拡張ボードや機能拡張ユニットに備わるＣＰＵ等が実際の処理の一部または全部を行い、その処理によって前述した実施形態の機能が実現される場合も含まれることはいうまでもない。
【００８０】
【発明の効果】
以上説明したように、本発明によれば、無線通信を行う通信相手を登録するための登録モードへ適応的に移行し、通信相手を登録することができる。従って、例えば、二台の無線通信装置の距離が離れていることにより、ユーザがそれらを同時に操作することができない場合であっても、登録モードへ移行するタイミングを合わせることができる。
【図面の簡単な説明】
【図１】本発明の第１の実施の形態に係る無線通信システムの全体構成を示すブロック図である。
【図２】子機側データ入力装置の構成を示すブロック図である。
【図３】子機側データ入力装置で実行される子機登録処理のフローチャートを示す図である。
【図４】第４の実施の形態における無線装置の構成を示すブロック図である。
【図５】無線装置で実行される子機登録処理のフローチャートを示す図である。
【図６】第５の実施の形態における親機側データ入力装置の構成を示すブロック図である。
【図７】親機側データ入力装置で実行される子機登録処理のフローチャートを示す図である。
【図８】子機側データ入力装置で実行される子機登録処理のフローチャートを示す図である。
【符号の説明】
１０１  事務機
１０２  無線装置
１０３  子機側データ入力装置
１０４  無線装置
１０５  公衆網
１０６  親機側データ入力装置
２０１  表示部
２０２  入力部
２０３  制御部
２０４  記憶部
２０５  タイマ
２０６  機器接続インターフェイス部
２０７  無線通信部
【図１】
0004355434.tif 000002
【図２】
0004355434.tif 000003
【図３】
0004355434.tif 000004
【図４】
0004355434.tif 000005
【図５】
0004355434.tif 000006
【図６】
0004355434.tif 000007
【図７】
0004355434.tif 000008
【図８】
0004355434.tif 000009